(57)【要約】      （修正有）【課題】透明度の高い素材を用いて、曲率の大きなメガネのレンズに対しても貼り付けることができ、かつ、防曇効果が衰えないようにしたメガネ用防曇フィルムを提供する。【解決手段】メガネのレンズ表面に貼り付けられる粘着層１２を一方面に有し、他方面に、アルカリ溶液で表面処理された防曇面を有し、前記一方面と他方面の厚みを０．０５ｍｍから０．１５ｍｍとしたＴＡＣフィルム１１で構成する。このＴＡＣフィルムは、ＴＡＣフィルムよりも薄い透明な台座フィルム１３に貼り付けられ、また、透明な被覆フィルム１４とともに楕円形状にカットされた状態で台座フィルムに貼り付けられる。【選択図】図３
0003234037.tif 000002
【実用新案登録請求の範囲】
【請求項１】
メガネのレンズ表面に貼り付けるための粘着層を一方面に有し、他方面に、アルカリ溶液で表面処理された防曇面を有し、前記一方面と他方面の厚みを０．０５ｍｍから０．１５ｍｍとしたＴＡＣフィルムで構成されたメガネ用防曇フィルム。
【請求項２】
前記粘着層を剥離可能に粘着させた透明な台座フィルムと、
所定形状に切り込まれたＴＡＣフィルムと、
当該ＴＡＣフィルムの前記他方面側を被覆する透明な被覆フィルムと、
を備えた請求項１に記載のメガネ用防曇フィルム。
【請求項３】
前記ＴＡＣフィルムが円形もしくは楕円形状、もしくは、角の取れた長方形状に切除された状態で前記台座フィルムに貼り付けられ、
前記被覆フィルムが当該ＴＡＣフィルムの形状に沿って切除された状態でＴＡＣフィルムに貼り付けられている請求項２に記載のメガネ用防曇フィルム。
【請求項４】
前記被覆フィルムが着色されたフィルムで構成されるものである請求項２に記載のメガネ用防曇フィルム。
【考案の詳細な説明】
【技術分野】
【０００１】
本考案は、メガネのレンズに貼り付けられるようにしたメガネ用防曇フィルムに関するものである。
【背景技術】
【０００２】
従来より、メガネやヘルメットなどの曇りを防止する方法として、次のような方法がある。
【０００３】
まず、第一の方法が、あらかじめレンズの表面を親水性の層を有するように多層加工しておく方法（特許文献１）である。次に、第二の方法が、レンズの表面に後から曇り止め防止剤を塗布して防曇膜を形成する方法（特許文献２）であり、第三の方法が、防曇効果を有する薄いフィルムを後からヘルメットのシールドの表面に貼り付ける方法である。
【先行技術文献】
【特許文献】
【０００４】
【特許文献１】特開２０２０−１０６７５２号公報
【特許文献２】特開２０１６−６０８７８号公報
【考案の概要】
【考案が解決しようとする課題】
【０００５】
しかしながら、このような方法では、次のような問題がある。
【０００６】
すなわち、第一の方法のように、あらかじめレンズの表面を親水性の層を有するように多層加工しておく方法では、すでに販売・使用されている既存のメガネには適用することができない。
【０００７】
また、第二の方法のように、曇り止め防止剤を塗布して皮膜を形成する方法では、レンズを拭き取る際に、その皮膜も一緒に剥がれてしまい、徐々に防曇効果が衰えてしまうといった問題がある。
【０００８】
次に、第三の方法のように、フィルムをレンズに貼り付ける方法を用いる場合、透明性の高い素材を用いる必要があるが、このような素材は比較的硬度を有するため、三次元的に湾曲した面に沿わせるように貼り付けることが極めて困難であった。
【０００９】
そこで、本考案は、上記課題に着目してなされたもので、透明度の高い素材を用いて、曲率の大きなメガネのレンズに対しても貼り付けることができ、かつ、防曇効果が衰えないようにしたメガネ用防曇フィルムを提供することを目的とする。
【課題を解決するための手段】
【００１０】
すなわち、本考案のメガネ用防曇フィルムは、上記課題を解決するために、メガネのレンズ表面に貼り付けるための粘着層を一方面に有し、他方面に、アルカリ溶液で表面処理された防曇面を有し、前記一方面と他方面の厚みを０．０５ｍｍから０．１５ｍｍとしたＴＡＣフィルム（トリアセチルセルロースのフィルム）で構成したものである。
【００１１】
このように構成すれば、アルカリ溶液で表面処理された防曇面の親水性および吸湿性によって、曇り止め効果を持続させることができるとともに、厚みを０．０５ｍｍから０．１５ｍｍと薄くすることによって、無伸延の硬い素材を用いた場合であっても、曲率の大きなレンズに沿わせるように貼り付けることができるようになる。また、フィルムの厚みを薄くすることにより、さらに透明性を高めることができ、フィルムを貼り付けていることを他人に認識させることなく、また、メガネ装着者に対する視界を阻害するようなこともなくなる。
【００１２】
また、このような考案において、好ましくは、前記粘着層を剥離可能に粘着させた透明な台座フィルムと、所定形状に切り込まれたＴＡＣフィルムと、当該ＴＡＣフィルムの前記他方面側を被覆する透明な被覆フィルムとで構成する。
【００１３】
このように構成すれば、メガネのレンズに合わせてカットする際に、透明な台座フィルムや被覆フィルムをレンズに合わせてペンなどでカットすべきラインを書き込むことができ、その書き込まれたラインに沿ってＴＡＣフィルムをカットして貼り付けることができるようになる。
【００１４】
さらには、前記ＴＡＣフィルムを円形もしくは楕円形状、もしくは、角の取れた長方形状に切除された状態で前記台座フィルムに貼り付けられ、前記被覆フィルムを当該ＴＡＣフィルムの形状に沿って切除された状態でＴＡＣフィルムに貼り付けられるようにする。
【００１５】
このように構成すれば、一般的なメガネのレンズの形状に合わせてそのまま貼り付けることが可能になるとともに、貼り付けた際に、眼球を中心とする円形領域の視野を確保することができるようになる。
【００１６】
また、被覆フィルムを着色されたフィルムで構成しておく。
【００１７】
このように構成すれば、レンズに貼り付けた際に、被覆フィルムの色によってＴＡＣフィルムの縁の位置を視認することができ、光透過性の高いＴＡＣフィルムを貼り付ける際の貼り付け位置を確認することができるようになる。
【考案の効果】
【００１８】
本考案によれば、メガネのレンズ表面に貼り付けるための粘着層を一方面に有し、他方面に、アルカリ溶液で表面処理された防曇面を有し、前記一方面と他方面の厚みを０．０５ｍｍから０．１５ｍｍとしたＴＡＣフィルムで構成したので、アルカリ溶液で表面処理された防曇面の親水性および吸湿性によって、曇り止め効果を持続させることができるとともに、厚みを０．０５ｍｍから０．１５ｍｍと薄くすることによって、無伸延の硬い素材を用いた場合であっても、曲率の大きなレンズに沿わせて貼り付けることができるようになる。また、フィルムの厚みを薄くすることにより、さらに透明性を高めることができ、フィルムを貼り付けていることを他人に認識させることなく、また、メガネ装着者に対する視界を阻害するようなこともなくなる。
【図面の簡単な説明】
【００１９】
【図１】本考案の一実施の形態におけるメガネに防曇フィルムを貼り付けた状態図
【図２】同形態におけるＴＡＣフィルムと台座フィルム、被覆フィルムの積層構造を示す図
【図３】同形態における各層を示す図
【図４】他の実施の形態における被覆フィルムを示す図
【考案を実施するための形態】
【００２０】
以下、本考案におけるメガネ用防曇フィルム１の構成について、図面を参照しながら説明する。
【００２１】
この実施の形態におけるメガネ用防曇フィルム１は、メガネ２のレンズ２１表面に貼り付けられる粘着層１２を一方面に有し、他方面に、アルカリ溶液で表面処理された防曇面を有し、前記一方面と他方面の厚みを０．０５ｍｍから０．１５ｍｍとしたＴＡＣフィルム１１で構成するようにしたものである。以下、本実施の形態について詳細に説明する。
【００２２】
まず、ＴＡＣフィルム１１は、三酢酸セルロースもしくはトリアセテートとも称されるトリアセチルセルロースで構成されるフィルムであって、セルロースを無水酢酸と反応させて、セルロース分子に含まれるすべての水酸基をアセチル機に置換したものである。このＴＡＣフィルム１１は、光透過性が９２％以上とポリカーボネイト（光透過率８７％）やポリスチレン（光透過率８９％）よりも高く、また、屈折率が１．５以下と光直進性も高く、親水性も高い性質を有するが、無延伸性を有するため、三次元的に湾曲したメガネ２のレンズ２１に貼り付ける際に、レンズ２１の湾曲面に密着させることが困難である。一方、このＴＡＣフィルム１１を、あらかじめ熱処理してメガネ２の湾曲面に沿わせることも可能であるが、メガネ２の曲率はそれぞれ異なるため、その都度、湾曲面に沿わせるように加工することが困難である。そこで、この考案では、ＴＡＣフィルム１１を可能な限り薄く構成することで、メガネ２のレンズ２１へ貼り付ける際に、レンズ２１の湾曲面に密着させるようにしている。
【００２３】
さらに、このＴＡＣフィルム１１は、表面（粘着層１２と異なる側の面）を防曇加工して用いられる。この防曇加工する際には、ＴＡＣフィルム１１のシートをｐＨ１３からｐＨ１４の苛性カリ水溶液などの高濃度アルカリ溶液に所定時間浸して表面に化学変化を起こさせ、その後、その高濃度アルカリ溶液を洗い流して表面を乾燥させて形成するようにしている。このように化学的に表面処理をすることで、防曇剤などを塗布する場合のように、時間経過に伴って防曇効果が衰えるといったことがない。
【００２４】
このようなレンズ２１に貼り付けられるＴＡＣフィルム１１の厚みとしては、薄ければ薄いほど、レンズ２１の湾曲面に密着させて貼り付けることが可能になるが、薄く加工するにはコストがかかってしまい、また、貼り付ける際に破断してしまう可能性がある。そのため、好ましくは、厚みについては、０．０５ｍｍ〜０．１５ｍｍ（好ましくは、０．０５ｍｍ〜０．０８ｍｍ）の範囲内の厚みとしておく。このような厚みにしておけば、度が０．１程度のような近視に対するレンズ２１に対しても、レンズ２１の湾曲面に沿わせて貼り付けることができる。また、このように薄く設定しておくと、吸水面と非吸水面とでフィルムの伸び率に差を生じやすくなり、カール状に変形させることができるため、その変形させた状態で湾曲面に密着させることができるという効果もある。
【００２５】
このように形成されたＴＡＣフィルム１１の一方の面側には、粘着層１２が形成される。この粘着層１２を形成する場合、光透過性を損なうことなく、かつ、再剥離できるように設けられる。このような粘着層１２を形成する場合、アクリル系粘着剤やシリコン粘着剤、ウレタン粘着剤、ゴム系粘着剤などの樹脂剤を用いる。
【００２６】
このように粘着層１２の形成されたＴＡＣフィルム１１は、その粘着層１２を台座フィルム１３に貼り付け、一方、その表面側に被覆フィルム１４を貼り付けて一体化するように設けられる。
【００２７】
このうち、台座フィルム１３や被覆フィルム１４については、ＴＡＣフィルム１１よりも薄い素材であって、可撓性を有する透明なフィルムで構成される。そして、被覆フィルム１４とＴＡＣフィルム１１を楕円形状に切り込み、台座フィルム１３からＴＡＣフィルム１１を被覆フィルム１４ごと剥がせるようにしている。そして、楕円形状に形成されたＴＡＣフィルム１１をレンズ２１に貼り付けることによって、目を中心とした均等な距離だけ防曇処理された視野を確保できるようにしている。また、このとき被覆フィルム１４を着色した半透明の素材で構成しておけば、レンズ２１に貼り付けた際に、着色された被覆フィルム１４の大きさによって、透明なＴＡＣフィルム１１の貼り付け位置を容易に確認することができるようになる。
【００２８】
なお、メガネ２の形状によっては、あらかじめカットされたＴＡＣフィルム１１の形状に適合しない場合がある。このような場合、レンズ２１の曲面に沿うように台座フィルム１３ごとレンズ２１に合わせるとともに、透明なフィルムを介して、レンズ２１の形状に沿って台座フィルム１３にペンで切り取り線を書き込めるようにしている。そして、このようにペンで切り取り線を書き込むことによって、所望の形状にカットできるようにしている。
【００２９】
そして、このようにカットされたＴＡＣフィルム１１を台座フィルム１３から剥がし、メガネ２のレンズ２１に貼り付けた後、気泡などを取り除くようにクロスで押さえ付ける。そして、気泡がなくなるように貼り付けた後、着色した被覆フィルム１４を剥がして使用できるようにする。
【００３０】
このように上記実施の形態によれば、メガネ２のレンズ２１表面に貼り付けられる粘着層１２を一方面に有し、他方面に、アルカリ溶液で表面処理された防曇面を有し、前記一方面と他方面の厚みを０．０５ｍｍから０．１５ｍｍとしたＴＡＣフィルム１１（トリアセチルセルロースのフィルム）で構成したので、アルカリ溶液で表面処理された防曇面の親水性および吸湿性によって、曇り止め効果を持続させることができるとともに、厚みを０．０５ｍｍから０．１５ｍｍと薄くすることによって、無伸延の硬い素材を用いた場合であっても、曲率の大きなレンズ２１に沿わせて貼り付けることができるようになる。また、フィルムの厚みを薄くすることにより、さらに透明性を高めることができ、フィルムを貼り付けていることを他人に認識させることなく、また、メガネ２装着者に対する視界を阻害するようなこともなくなる。
【００３１】
なお、本考案は上記実施の形態に限定されることなく、種々の態様で実施することができる。
【００３２】
例えば、上記実施の形態では、楕円形状にＴＡＣフィルム１１を切り抜くようにしていたが、ここで角を湾曲させた長方形状であってもよい。あるいは、円形状であってもよい。このとき、本考案との関係において、楕円形状とは、角を湾曲させた長方形状や円形を含むものである。
【００３３】
また、上記実施の形態では、メガネ２を例に挙げて説明したが、近視用や遠視用のレンズ２１を有するメガネ２だけでなく、サングラスなどにも使用することができる。
【００３４】
さらに、上記実施の形態では、被覆フィルム１４をＴＡＣフィルム１１と同形状にカットするようにしているが、このようにした場合、被覆フィルム１４をＴＡＣフィルム１１から剥がす場合に、ＴＡＣフィルム１１も一緒に剥がしてしまう可能性がある。このため、被覆フィルム１４については、図４に示すように、ＴＡＣフィルム１１からはみ出るような剥がし部１５を有するように形成しておき、これによって、メガネ２に貼り付けた後に、被覆フィルム１４を容易に剥がせるようにしてもよい。
【符号の説明】
【００３５】
１・・・防曇フィルム
１１・・・ＴＡＣフィルム
１２・・・粘着層
１３・・・台座フィルム
１４・・・被覆フィルム
１５・・・剥がし部
２・・・メガネ
２１・・・レンズ
【図１】
0003234037.tif 000003
【図２】
0003234037.tif 000004
【図３】
0003234037.tif 000005
【図４】
0003234037.tif 000006